(57)【特許請求の範囲】
【請求項１】
鋼板を積層してなる固定子鉄心、この固定子鉄心の外周部軸方向に複数並列に設けられた溝に沿わせて嵌め込まれるコアボルト、円周方向に締め付け機構を有し、上記コアボルトを介して上記固定子鉄心を締め付け、上記コアボルトと溶着される支持リング、及び上記コアボルトと上記固定子鉄心間に生ずる隙間に挿入され、上記コアボルトに溶着されるライナを備えた回転電機の固定子鉄心装置。
【請求項２】
鋼板を積層してなる固定子鉄心、この固定子鉄心の外周部軸方向に複数並列に設けられた溝に沿わせて嵌め込まれるコアボルト、及び円周方向に締め付け機構を有し、上記コアボルトとの対向部に径方向に貫通する貫通孔を有し、上記コアボルトを介して上記固定子鉄心を締め付けるとともに上記貫通孔の内周部で上記コアボルトと溶着される支持リングを備えた回転電機の固定子鉄心装置。
【請求項３】
上記固定子鉄心に設けられた溝の断面形状は円弧，四角形，三角形，及び台形のいずれかで、上記コアボルトの断面形状はこれに対応した円形，半円形，四角形，三角形，及び台形のいずれかであることを特徴とする請求項１又は請求項２記載の回転電機の固定子鉄心装置。
【請求項４】
鋼板を積層してなる固定子鉄心、この固定子鉄心の外周部軸方向に複数並列に設けられた溝に沿わせ一端部側が摺動自在に嵌め込まれるコアボルト、このコアボルトの他端部側が摺動自在に嵌め込まれるダブテール切欠きとねじ孔を有する支持リング、及び上記ねじ孔に螺合し上記固定子鉄心を加圧し、上記支持リングを上記固定子鉄心から離隔して固着するジャッキボルトを備えた回転電機の固定子鉄心装置。
【請求項５】
鋼板を積層してなる固定子鉄心、この固定子鉄心の外周部軸方向に複数並列に設けられた溝に沿わせ一端部側が摺動自在に嵌め込まれるコアボルト、このコアボルトの他端部側が摺動自在に嵌め込まれるダブテール切欠きとこれと連設するねじ孔を有する支持リング、及び上記ねじ孔に螺合し上記コアボルトを押圧し上記固定子鉄心を締め付けるジャッキボルトを備えた回転電機の固定子鉄心装置。
【請求項６】
鋼板を積層してなる固定子鉄心、この固定子鉄心の外周部軸方向に複数並列に設けられた溝に沿わせ一端部側が嵌め込まれ、他端部側に穴を有するコアボルト、上記固定子鉄心の外周に配置され、上記穴に対向する貫通孔を有する支持リング、及び上記穴と貫通孔を連通して上記コアボルトと上記支持リングを螺着するとともに、上記コアボルトを介して上記固定子鉄心を締め付けるボルトを備えた回転電機の固定子鉄心装置。
【請求項７】
上記固定子鉄心を締め付ける複数の上記支持リング間で、上記コアボルトを介して上記固定子鉄心を締め付ける補助リングを設け、上記コアボルトと上記固定子鉄心との密着を増加させた請求項１〜請求項６のいずれか１項に記載の回転電機の固定子鉄心装置。
【発明の詳細な説明】
【０００１】
【発明の属する技術分野】
この発明は、回転電機の固定子鉄心装置に関し、特に鋼板を積層してなる固定子鉄心の支持構造に関するものである。
【０００２】
【従来の技術】
一般に回転電機の固定子鉄心装置は、鋼板を積層してなる円筒形の固定子鉄心をこの固定子鉄心の外周部軸方向に複数並列に設けられた溝に嵌め込まれるコアボルトを介して外周部より支持リングにて締結する支持構造となっており、コアボルトと支持リングを固定する際に、固定子鉄心とコアボルトを密着させている。固定子鉄心とコアボルト間の密着が不完全であると、回転電機運転時に鉄心が振動する。これにより、鉄心とコアボルトが接触し騒音が発生する。そのため、隙間のない構造とする必要がある。
【０００３】
図１６は、従来の回転電機の固定子鉄心装置の支持部の要部縦断面を説明する図である。この図において、１は鋼板を積層してなる円筒形の固定子鉄心、２は固定子鉄心の外周部側に軸方向に平行で複数等間隔に設けられた溝に嵌め込まれるコアボルト、３０は円周方向に締め付け機構を有し、固定子鉄心１をコアボルト２を介して外周から締め付ける支持リング、４はコアボルト２と支持リング３０との溶接部である。
【０００４】
このような従来の回転電機の固定子鉄心は、鋼板を単体で積層して鉄心１を形成した後、コアボルト２を鉄心1の外周から溝に嵌め込んで取り付け、さらにその外周側に支持リング３０を配して鉄心1を外周側から締め付けた後、コアボルト２と支持リング３０を溶着して製作される。
なお、この技術分野の関連技術としては特開平８−１０３０４２号公報，特開平８−１９６０４８号公報，特開平９−２３３７６１号公報のものを挙げることができる。
【０００５】
【発明が解決しようとする課題】
上記のような従来の回転電機の固定子鉄心装置では、コアボルト２と支持リング３０の溶接はコアボルト２を押圧している支持リング３０の外側で行われるため、コアボルト２が溶接による熱ひずみにより図１６の矢印に示すように外周側に変形し、コアボルトと鉄心の間に隙間を生じて、振動、騒音の原因となるという問題点があった。
【０００６】
この発明は、上記の問題点を解消するためになされたもので、コアボルトと固定子鉄心の隙間を無くす、あるいはコアボルトと固定子鉄心を密着させることにより、振動、騒音を抑制できる回転電機の固定子鉄心装置を得ることを目的とする。
【０００７】
【課題を解決するための手段】
この発明の回転電機の固定子鉄心装置の第１の構成は、鋼板を積層してなる固定子鉄心、この固定子鉄心の外周部軸方向に複数並列に設けられた溝に沿わせて嵌め込まれるコアボルト、円周方向に締め付け機構を有し、上記コアボルトを介して上記固定子鉄心を締め付け、上記コアボルトと溶着される支持リング、及び上記コアボルトと上記固定子鉄心間に生ずる隙間に挿入され、上記コアボルトに溶着されるライナを備えたものである。
【０００８】
この発明の回転電機の固定子鉄心装置の第２の構成は、鋼板を積層してなる固定子鉄心、この固定子鉄心の外周部軸方向に複数並列に設けられた溝に沿わせて嵌め込まれるコアボルト、及び円周方向に締め付け機構を有し、上記コアボルトとの対向部に径方向に貫通する貫通孔を有し、上記コアボルトを介して上記固定子鉄心を締め付けるとともに上記貫通孔の内周部で上記コアボルトと溶着される支持リングを備えたものである。
【０００９】
この発明の回転電機の固定子鉄心装置の第３の構成は、第１又は第２の構成において、上記固定子鉄心に設けられた溝の断面形状が円弧，四角形，三角形，及び台形のいずれかで、上記コアボルトの断面形状がこれに対応した円形，半円形，四角形，三角形，及び台形のいずれかのものである。
【００１０】
この発明の回転電機の固定子鉄心装置の第４の構成は、鋼板を積層してなる固定子鉄心、この固定子鉄心の外周部軸方向に複数並列に設けられた溝に沿わせ一端部側が摺動自在に嵌め込まれるコアボルト、このコアボルトの他端部側が摺動自在に嵌め込まれるダブテール切欠きとねじ孔を有する支持リング、及び上記ねじ孔に螺合し上記固定子鉄心を加圧し、上記支持リングを上記固定子鉄心から離隔して固着するジャッキボルトを備えたものである。
【００１１】
この発明の回転電機の固定子鉄心装置の第５の構成は、鋼板を積層してなる固定子鉄心、この固定子鉄心の外周部軸方向に複数並列に設けられた溝に沿わせ一端部側が摺動自在に嵌め込まれるコアボルト、このコアボルトの他端部側が摺動自在に嵌め込まれるダブテール切欠きとこれと連設するねじ孔を有する支持リング、及び上記ねじ孔に螺合し上記コアボルトを押圧し上記固定子鉄心を締め付けるジャッキボルトを備えたものである。
【００１２】
この発明の回転電機の固定子鉄心装置の第６の構成は、鋼板を積層してなる固定子鉄心、この固定子鉄心の外周部軸方向に複数並列に設けられた溝に沿わせ一端部側が嵌め込まれ、他端部側に穴を有するコアボルト、上記固定子鉄心の外周に配置され、上記穴に対向する貫通孔を有する支持リング、及び上記穴と貫通孔を連通して上記コアボルトと上記支持リングを螺着するとともに、上記コアボルトを介して上記固定子鉄心を締め付けるボルトを備えたものである。
【００１３】
この発明の回転電機の固定子鉄心装置の第７の構成は、第１ないし第６の構成のいずれかにおいて、上記固定子鉄心を締め付ける複数の上記支持リング間で、上記コアボルトを介して上記固定子鉄心を締め付ける補助リングを設け、上記コアボルトと上記固定子鉄心との密着を増加させたものである。
【００１４】
【発明の実施の形態】
実施の形態１．
図１はこの発明の実施の形態１の回転電機の固定子鉄心装置の全体構造を示す斜視図、図２はその支持リングを示す斜視図、図３（ａ）はその固定子鉄心の支持部の要部平面を説明する図、図３（ｂ）は同固定子鉄心の支持部の要部横断面を説明する図、図３（ｃ）は同固定子鉄心の支持部の要部縦断面を説明する図である。図において、１は鋼板を積層してなる円筒形の固定子鉄心で、外周部に円弧状断面の溝１ａが複数等間隔，軸方向に平行に設けられている。２ａは固定子鉄心外周の溝１ａに嵌め込まれ等間隔に位置する円形断面のコアボルト、３は円周方向にコアボルト２ａを介して固定子鉄心１を締め付ける締付け機構を構成する締付け座３１と、外側のフレーム（図示せず）と固定子鉄心１を接続して一体化する弾性板取付け座３２とを有し、コアボルト２ａとの対向部に径方向に貫通する貫通孔３３が明けられた支持リングで、締付け座３１の孔３１ａにボルトを挿入しナットで締め付け、その間隙を縮めることによりコアボルト２ａを介して固定子鉄心１を締付ける。４はコアボルト２ａと支持リング３の溶接部で支持リング３の貫通孔３３内周部にある。
【００１５】
このように構成された回転電機の固定子鉄心装置は、鋼板を積層して形成した円筒形の固定子鉄心１の外周から溝１ａにコアボルト２ａを嵌め込んだ後、その外周側に支持リング３を配して締付け座３１の間隙を縮めて鉄心1をコアボルト２ａを介して外周側から締め付ける。その後さらに、密着したコアボルト２ａと支持リング３を支持リング３の貫通孔３３の内周部で溶着して製作される。
【００１６】
この実施の形態１の固定子鉄心装置では、コアボルト２ａと支持リング３の溶接位置を貫通孔３３内側にしているので、コアボルトの溶接変形が固定子鉄心を押付ける方向となり、コアボルトと固定子鉄心間の隙間を無くす方向に働き、両者をより完全に密着させることができる。従って回転電機運転時の鉄心の振動を防止でき、騒音発生を防止できる。
【００１７】
実施の形態２．
図４はこの発明の実施の形態２の回転電機の固定子鉄心装置の全体構造を示す斜視図で、実施の形態１の構成において、支持リング３間にさらにコアボルト２ａを介して固定子鉄心１を締め付ける補助リング１０を設けたものである。これにより、コアボルト２ａと固定子鉄心１との密着をより確実なものとすることができる。
【００１８】
実施の形態３．
図５（ａ）（ｂ）はそれぞれこの発明の実施の形態３の固定子鉄心の支持部の要部横断面を説明する図である。図において、１ｂは固定子鉄心１外周部に複数等間隔，軸方向に平行に設けられた四角形断面の溝、２ｂは四角形断面の溝１ｂに嵌め込まれ等間隔に位置する四角形断面のコアボルト、２ｃは円弧状断面の溝１ａに嵌め込まれ等間隔に位置する半円形断面のコアボルトである。他は実施の形態１と同様の構成であり、同様に製作される。
【００１９】
この実施の形態３においても、溶接位置を支持リング３の貫通孔３３内側にしているので、上記実施の形態１と同様にコアボルトの溶接変形が固定子鉄心を押付ける方向となり、コアボルトと固定子鉄心間の隙間を無くせ両者を完全に密着させることができる。さらに上記実施の形態１の円形断面コアボルト２ａと異なり、四角形断面のコアボルト２ｂおよび半円形断面コアボルト２ｃと支持リング３との接点は線状となり、コアボルト２ｂ，２ｃと支持リング３間の溶接性が向上するとともに、溶接部４の長さも長くとれ両者をより強固に固着できる。
【００２０】
また、上記実施の形態２を適用し、支持リング３間にさらに補助リング１０を設けることにより、同様にコアボルトと固定子鉄心との密着をより確実なものとすることができる。
【００２１】
実施の形態４．
図６はこの発明の実施の形態４の固定子鉄心の支持部の要部横断面を説明する図である。図において、１ｃは固定子鉄心１外周部に複数等間隔，軸方向に平行に設けられた三角形断面の溝、２ｄは三角形断面の溝１ｃに嵌め込まれ等間隔に位置する三角形断面のコアボルトである。他は実施の形態１と同様の構成であり、同様に製作される。
【００２２】
この実施の形態４においても、溶接位置を支持リング３の貫通孔３３内側にしているので、上記実施の形態と同様にコアボルトの溶接変形が固定子鉄心を押付ける方向となり、コアボルトと固定子鉄心間の隙間を無くせ両者を完全に密着させることができる。また、上記実施の形態３と同様に三角形断面のコアボルト２ｄと支持リング３との接点は線状となり、両者間の溶接性が向上するとともに、溶接部４の長さも長くとれ両者をより強固に固着できる。さらに、上記実施の形態３の四角形断面コアボルト２ｂに比べ、この三角形断面コアボルト２ｄでは楔効果が期待でき、コアボルト２ｄを鉄心１側へ押し付けることによりコアボルト２ｄと鉄心１間の接触をより確実かつ安定したものにできる。
【００２３】
実施の形態５．
図７はこの発明の実施の形態５の固定子鉄心の支持部の要部横断面を説明する図である。図において、１ｄは固定子鉄心１外周部に複数等間隔，軸方向に平行に設けられた台形断面の溝、２ｅは台形断面の溝１ｂに嵌め込まれ等間隔に位置する台形断面のコアボルトである。他は実施の形態１と同様の構成であり、同様に製作される。
【００２４】
この実施の形態５においても、溶接位置を支持リング３の貫通孔３３内側にしているので、上記実施の形態と同様にコアボルトの溶接変形が固定子鉄心を押付ける方向となり、コアボルトと固定子鉄心間の隙間を無くせ両者を完全に密着させることができる。また、上記実施の形態３と同様に台形断面のコアボルト２ｅと支持リング３との接点は線状となり、両者間の溶接性が向上するとともに、溶接部４の長さも長くとれ両者をより強固に固着できる。
また、上記実施の形態４の三角形断面コアボルト２ｄでは、コアボルト２ｄを鉄心１側へ押し付けるとコアボルト２ｄ先端が鉄心１外周面のスロット底に当るおそれがあるが、この実施の形態５では、台形断面のコアボルト２ｅとしているので、コアボルト先端部が鉄心１スロット底に当るのを回避でき、三角形断面コアボルト２ｄと比べ、コアボルト２ｅの製作精度、鉄心の製作・工作精度を緩和でき、製作の短時間化、コスト低減を実現できる。
【００２５】
実施の形態６．
図８（ａ）はこの発明の実施の形態６の固定子鉄心の支持部の要部横断面を説明する図、図８（ｂ）は同要部縦断面を説明する図である。図において、１は外周部に円弧状断面の溝１ａが複数等間隔，軸方向に平行に設けられている固定子鉄心、２ａは固定子鉄心外周の溝１ａに嵌め込まれ等間隔に位置する円形断面のコアボルト、３０は円周方向に締付け機構を有し、コアボルト２ａを介して固定子鉄心１を締め付ける支持リング、４はコアボルト２ａと支持リング３０との溶接部、５は固定子鉄心１とコアボルト２ａの隙間に挿入されるライナ、１０は補助リングである。
【００２６】
このように構成された回転電機の固定子鉄心装置は、固定子鉄心１の外周から溝１ａにコアボルト２ａを嵌め込んだ後、その外周側に支持リング３０を配して鉄心１をコアボルト２ａを介して外周側から締め付ける。次いで、コアボルト２ａと支持リング３０間を溶接する。この場合は支持リング３０の外側（側壁部）で溶接しているため、コアボルト２ａが溶接による熱ひずみにより外周側、固定子鉄心１から離れ、隙間が発生する方向に変形する。そこで、その隙間にライナ５を挿入し固定子鉄心１とコアボルト２ａを密着させ、さらにライナ５とコアボルト２ａを溶接して製作される。
【００２７】
この実施の形態６の固定子鉄心装置では、コアボルト２ａと支持リング３０の溶接後に生じる隙間にライナ５を挿入し固定子鉄心１とコアボルト２ａを密着させた後ライナ５とコアボルト２ａを溶接しているので、コアボルトと固定子鉄心間の隙間を埋めることができる。従って回転電機運転時の鉄心の振動を防止できるので、鉄心とコアボルトの接触による騒音の発生を防止できる。
さらに、上記実施の形態と同様、支持リング３０間にさらに補助リング１０を設けることにより、同様にコアボルトと固定子鉄心との密着をより確実なものとすることができる。
【００２８】
実施の形態７．
図９はこの発明の実施の形態７の固定子鉄心の支持部の要部横断面を説明する図である。図において、１ｂは固定子鉄心１外周部に複数等間隔，軸方向に平行に設けられた四角形断面の溝、２ｂは四角形断面の溝１ｂに嵌め込まれる四角形断面のコアボルト、４はコアボルト２ｂと支持リング３０との溶接部、５は固定子鉄心１とコアボルト２ｂの隙間に挿入されるライナである。他は実施の形態６と同様の構成であり、同様に製作される。
【００２９】
この実施の形態７においても、上記実施の形態６と同様に、支持リング３０との溶接時にコアボルト２ｂが外周側に変形して固定子鉄心１とコアボルト２ｂ間に生じる隙間にライナ５を挿入することにより両者間の隙間を無くすことができ、回転電機の固定子鉄心の振動，騒音の発生を防止できる。
また、この四角形断面のコアボルト２ｂは円形断面コアボルト２ａと異なり、コアボルト２ｂとライナ５、ライナ５と固定子鉄心１間の接触面積を大きく取れ、確実かつ安定した接触を確保できるので、より良好に固定子鉄心の振動，騒音の発生を防止できる。
【００３０】
実施の形態８．
図１０はこの発明の実施の形態８の固定子鉄心の支持部の要部横断面を説明する図である。図において、１ｃは固定子鉄心１外周部に複数等間隔，軸方向に平行に設けられた三角形断面の溝、２ｄは三角形断面の溝１ｃに嵌め込まれる三角形断面のコアボルト、４はコアボルト２ｄと支持リング３０との溶接部、５は固定子鉄心１とコアボルト２ｄの隙間に挿入されるライナである。他は実施の形態６と同様の構成であり、同様に製作される。
【００３１】
この実施の形態８においても、上記実施の形態６と同様に固定子鉄心１とコアボルト２ｄ間に生じる隙間にライナ５を挿入することにより両者間の隙間を無くすことができ、回転電機の固定子鉄心の振動，騒音の発生を防止できる。また、上記実施の形態７と同様にコアボルト２ｄとライナ５、ライナ５と固定子鉄心１間の接触面積を大きく取れるとともに、この三角形断面コアボルト２ｄでは楔効果が期待でき、コアボルト２ｄを鉄心１側へ押し付けることにより、より確実かつ安定した接触を確保できるので、さらに良好に固定子鉄心の振動，騒音の発生を防止できる。さらに、上記理由により、四角形断面コアボルト２ｂよりもライナ５の寸法精度を緩和でき、隙問調整するライナ５を短時間にかつ簡便に製作できる。
【００３２】
実施の形態９．
図１１はこの発明の実施の形態９の固定子鉄心の支持部の要部横断面を説明する図である。図において、１ｄは固定子鉄心１外周部に複数等間隔，軸方向に平行に設けられた台形断面の溝、２ｅは台形断面の溝１ｄに嵌め込まれる台形断面のコアボルト、４はコアボルト２ｅと支持リング３０との溶接部、５は固定子鉄心１とコアボルト２ｅの隙間に挿入されるライナである。他は実施の形態６と同様の構成であり、同様に製作される。
【００３３】
この実施の形態９においても、上記実施の形態６と同様に固定子鉄心１とコアボルト２ｅ間に生じる隙間にライナ５を挿入することにより両者間の隙間を無くすことができ、回転電機の固定子鉄心の振動，騒音の発生を防止できる。また、上記実施の形態８と同様にコアボルト２ｅとライナ５、ライナ５と固定子鉄心１間の接触面積を大きく取れ、楔効果により、より確実かつ安定した接触を確保でき、良好に固定子鉄心の振動，騒音の発生を防止できる。さらに、三角形断面コアボルト２ｄでは、これを鉄心１側へ押し付けるとコアボルト２ｄ先端が鉄心１外周面のスロット底に当るおそれがあるが、この台形断面のコアボルト２ｅではコアボルト先端部が鉄心１のスロット底に当るのを回避できるので、三角形断面コアボルト２ｄと比べ、コアボルト２ｅの製作精度、鉄心１の製作、鉄心積みの工作精度を緩和でき、製作の短時間化、コスト低減を実現できる。
【００３４】
実施の形態１０．
図１２はこの発明の実施の形態１０の固定子鉄心の支持部の要部横断面を説明する図である。図において、１は鋼板を積層してなる固定子鉄心で、外周部に複数等間隔，軸方向に平行に溝、ダブテール切欠き１ｆが形成されている。２５は一端部側がダブテール切欠き１ｆに沿って摺動自在に嵌め込まれる断面が鼓形のコアボルト、３５は固定子鉄心１の外周に配置され、鼓形コアボルト２５の他端部側が摺動自在に嵌め込まれるダブテール切欠き３５ａとネジ孔３５ｂが形成された連続した環状の支持リング、９はネジ孔３５ｂに螺合し固定子鉄心１を加圧し、支持リング３５を固定子鉄心１から離隔して固着するジャッキボルトである。
【００３５】
このように構成された回転電機の固定子鉄心装置は、鋼板を積層して形成した円筒形の固定子鉄心１にダブテール切欠き３５ａとネジ孔３５ｂを形成した支持リング３５を位置合わせして配置した後、鼓形コアボルト２５の一端部側を固定子鉄心１のダブテール切欠き１ｆに他端部側を支持リング３５のダブテール切欠き３５ａに嵌め合わせ挿入する。そして外周からジャッキボルト９で支持リング３５を外周側に加圧することにより固定を行なう。
ジャッキボルト９をねじ込むと、まずジャッキボルト９が固定子鉄心１に当たり、さらにねじ込み固定子鉄心１を押圧すると、支持リング３５に外周方向の力が作用し、支持リング３５が引き上げられるように作用し、支持リング３５と鼓形コアボルト２５が当たり、鼓形コアボルト２５が引き上げられ、鼓形コアボルト２５と固定子鉄心１とが当接する。ジャッキアップすることにより鼓形コアボルト２５を介在させて固定子鉄心１と支持リング３５の三者が密着され、固定子鉄心１に押し込み力、締付け力が働く。
【００３６】
この実施の形態１０の固定子鉄心装置では、溶着によらず、ジャッキボルト９をねじ込むことにより、鼓形コアボルト２５を介して支持リング３５と鼓形コアボルト２５と固定子鉄心１との三者を密着固定することができ、また溶着の熱ひずみによるコアボルトの変形、鉄心１との隙間の発生を防止できるので、コアボルトと固定子鉄心間の隙間を無くすことができる。従って回転電機運転時の鉄心の振動を防止できるので、鉄心とコアボルトの接触による騒音の発生を防止できる。また、製作後の再組立や分解が可能となる。
【００３７】
さらに、上記実施の形態と同様、支持リング３５間にさらに補助リング１０を設けることにより、同様にコアボルトと固定子鉄心との密着をより確実なものとすることができる。
【００３８】
実施の形態１１．
図１３はこの発明の実施の形態１１の固定子鉄心の支持部の要部横断面を説明する図である。図において、１は鋼板を積層してなる固定子鉄心で、外周部に複数等間隔，軸方向に平行に台形断面の溝１ｄが形成されている。２６は一端部側がダブテール切欠き１ｆに沿って摺動自在に嵌め込まれる断面が台形のコアボルト、３６は固定子鉄心１の外周に配置され、台形コアボルト２６の他端部側が摺動自在に嵌め込まれるダブテール切欠き３６ａとダブテール切欠き３６ａに連設するネジ孔３６ｂが形成された連続した環状の支持リング、９はネジ孔３６ｂに螺合し固定子鉄心１を押圧し、固定子鉄心１を締め付けるジャッキボルトである。
【００３９】
このように構成された回転電機の固定子鉄心装置は、鋼板を積層して形成した円筒形の固定子鉄心１にダブテール切欠き３６ａとネジ孔３６ｂを形成した支持リング３６を位置合わせして配置した後、断面が台形のコアボルト２６の一端部側を固定子鉄心１の台形断面の溝１ｄに他端部側を支持リング３６のダブテール切欠き３６ａに嵌め合わせ挿入する。そして外周からジャッキボルト９で台形コアボルト２６を固定子鉄心１に押し込むことにより固定、締付けを行う。
ジャッキボルト９をねじ込むと、まず台形コアボルト２６が鉄心１に当接し、これを押圧する。この押圧を妨げないように、支持リング３６と台形コアボルト２６は僅かに隙間があくように製作されている。さらにジャッキボルト９をねじ込み台形コアボルト２６を鉄心１側に押し込んで密着させていくと支持リング３６も台形コアボルト２６により押圧され密着される。
【００４０】
この実施の形態１１の固定子鉄心装置では、溶着によらず、ジャッキボルト９をねじ込むことにより、台形コアボルト２６を介して支持リング３６と台形コアボルト２６と固定子鉄心１の三者を密着固定することができ、また溶着の熱ひずみによるコアボルトの変形、鉄心１との隙間の発生を防止できるので、コアボルトと固定子鉄心間の隙間を無くすことができる。従って回転電機運転時の鉄心の振動を防止できる、鉄心とコアボルトの接触による騒音の発生を防止できる。また、製作後の再組立や分解が可能となる。コアボルト２９の変形を防止し、鉄心とコアボルトの密着が可能となる。
さらに上記実施の形態１０の固定子鉄心支持構造のように、支持リング３６をジャッキボルト９により鉄心１より離す必要はなく、台形断面コアボルト２６をジャッキボルト９で鉄心１側へ押込むだけでよいため、ジャッキボルト９のサイズを小さくできるとともに、より小さな力でジャッキボルト９を締め付ければよく、工作性に優れた構造が実現できる。
【００４１】
実施の形態１２．
図１４（ａ）はこの発明の実施の形態１２の固定子鉄心の支持部の要部横断面を説明する図、図１４（ｂ）は同要部縦断面を説明する図である。図において、１は外周部に台形断面の溝１ｄが複数等間隔，軸方向に平行に設けられている固定子鉄心、２７は一端部側が固定子鉄心１外周部の溝１ｄに沿わせて嵌め込まれ、他端部側にリーマ穴２７ａとボルト穴２７ｂを有する台形断面のコアボルト、３７は固定子鉄心１の外周に配置され、台形断面コアボルト２７に対向する凹部にリーマ穴２７ａに対向するリーマ孔３７ａとボルト穴２７ｂに対向するボルト孔３７ｂを有する支持リング、６はリーマ穴２７ａとリーマ孔３７ａを連通し嵌挿されるリーマピン、７はボルト穴２７ｂとボルト孔３７ｂを連通し螺合しコアボルト２７と支持リング３７を螺着するとともに、コアボルト２７を介して固定子鉄心１を締め付けるボルトである。
【００４２】
このように構成された回転電機の固定子鉄心装置は、固定子鉄心１外周部の溝１ｄに台形断面コアボルト２７を嵌め合わせ、リーマ穴２７ａとリーマ孔３７ａ、ボルト穴２７ｂとボルト孔３７ｂが連通するように支持リング３７をコアボルト２７に位置合わせして配置し、あるいは、支持リング３７からコアボルト２７にかけてリーマ穴２７ａとリーマ孔３７ａ、ボルト穴２７ｂとボルト孔３７ｂを加工した後、支持リング３７とコアボルト２７をリーマピン６により嵌着するとともにボルト７により螺合し、両者間を固定、接合するとともに、コアボルト２７を介して固定子鉄心１を締め付けている。
【００４３】
この実施の形態１２の固定子鉄心装置では、溶着によらず、台形コアボルト２７を介して固定子鉄心１を支持リング３７で締め付け、三者を密着固定することができ、また溶着の熱ひずみによるコアボルト２７の変形、鉄心１との隙間の発生を防止できるので、コアボルトと固定子鉄心間の密着が保持される。従って回転電機運転時の鉄心の振動を防止でき、鉄心とコアボルトの接触による騒音の発生を防止できる。リーマピン６による嵌着とボルト７による螺合の両者によってより強固に固定され長期の運転にも耐えられる。また、製作後の再組立や分解が可能となる。
【００４４】
実施の形態１３．
図１５はこの発明の実施の形態１３の固定子鉄心の支持部の要部縦断面を説明する図である。図において、１は外周部に台形断面の溝が複数等間隔，軸方向に平行に設けられている固定子鉄心、２８は一端部側が固定子鉄心１外周部の溝１ｄに沿わせて嵌め込まれ、他端部側にリーマボルト穴２８ａを有する台形断面のコアボルト、３８は固定子鉄心１の外周に配置され、台形断面コアボルト２８に対向する凹部にリーマボルト穴２８ａに対向するリーマボルト孔３８ａを有する支持リング、８はリーマボルト穴２８ａとリーマボルト孔３８ａを連通してコアボルト２８と支持リング３８を螺着するとともに、コアボルト２８を介して固定子鉄心１を締め付けるリーマボルトである。
【００４５】
この実施の形態の回転電機の固定子鉄心装置も上記実施の形態１２と同様、固定子鉄心１の溝１ｄにコアボルト２８を嵌め合わせ、リーマボルト穴２８ａとリーマボルト孔３８ｂが連通するように支持リング３８をコアボルト２８に位置合わせして配置し、あるいは、支持リング３８からコアボルト２８にかけてリーマボルト穴２８ａとリーマボルト孔３８ａを加工した後、支持リング３８とコアボルト２８をリーマボルト８により螺合し、両者間を固定、接合するとともに、コアボルト２８を介して固定子鉄心１を締付けている。
【００４６】
この実施の形態１３の固定子鉄心装置においても、上記実施の形態１２と同様の効果を奏する。回転電機の運転状態によりリーマボルト８一つのみでも鉄心１とコアボルト２８の密着が保持でき、上記実施の形態１２の固定子鉄心支持構造に比べ、コアボルト２８と支持リング３８の穴（孔）加工数を減らすことができるので、製作時間の短縮を図れる。
【００４７】
【発明の効果】
この発明の回転電機の固定子鉄心装置の第１の構成によれば、鋼板を積層してなる固定子鉄心、この固定子鉄心の外周部軸方向に複数並列に設けられた溝に沿わせて嵌め込まれるコアボルト、円周方向に締め付け機構を有し、上記コアボルトを介して上記固定子鉄心を締め付け、上記コアボルトと溶着される支持リング、及び上記コアボルトと上記固定子鉄心間に生ずる隙間に挿入され、上記コアボルトに溶着されるライナを備えたものとしたので、コアボルトと固定子鉄心間の隙間を埋めることができる。それにより回転電機運転時の鉄心の振動、騒音の発生を防止できる。
【００４８】
この発明の回転電機の固定子鉄心装置の第２の構成によれば、鋼板を積層してなる固定子鉄心、この固定子鉄心の外周部軸方向に複数並列に設けられた溝に沿わせて嵌め込まれるコアボルト、及び円周方向に締め付け機構を有し、上記コアボルトとの対向部に径方向に貫通する貫通孔を有し、上記コアボルトを介して上記固定子鉄心を締め付けるとともに上記貫通孔の内周部で上記コアボルトと溶着される支持リングを備えたものとしたので、コアボルトと固定子鉄心間の隙間を無くす方向に働き両者をより密着させることができる。その結果、回転電機運転時の鉄心の振動、騒音の発生を防止できる。
【００４９】
この発明の回転電機の固定子鉄心装置の第３の構成は、第１又は第２の構成において、上記固定子鉄心に設けられた溝の断面形状が円弧，四角形，三角形，及び台形のいずれかで、上記コアボルトの断面形状がこれに対応した円形，半円形，四角形，三角形，及び台形のいずれかとしたものである。
【００５０】
この発明の回転電機の固定子鉄心装置の第４の構成によれば、鋼板を積層してなる固定子鉄心、この固定子鉄心の外周部軸方向に複数並列に設けられた溝に沿わせ一端部側が摺動自在に嵌め込まれるコアボルト、このコアボルトの他端部側が摺動自在に嵌め込まれるダブテール切欠きとねじ孔を有する支持リング、及び上記ねじ孔に螺合し上記固定子鉄心を加圧し、上記支持リングを上記固定子鉄心から離隔して固着するジャッキボルトを備えたものとしたので、コアボルトを介して支持リングとコアボルトと固定子鉄心との三者を密着固定でき、コアボルトと固定子鉄心間の隙間を無くすことができる。従って回転電機運転時の鉄心の振動、騒音の発生を防止できる。また、製作後の再組立や分解が可能となる。
【００５１】
この発明の回転電機の固定子鉄心装置の第５の構成によれば、鋼板を積層してなる固定子鉄心、この固定子鉄心の外周部軸方向に複数並列に設けられた溝に沿わせ一端部側が摺動自在に嵌め込まれるコアボルト、このコアボルトの他端部側が摺動自在に嵌め込まれるダブテール切欠きとこれと連設するねじ孔を有する支持リング、及び上記ねじ孔に螺合し上記コアボルトを押圧し上記固定子鉄心を締め付けるジャッキボルトを備えたものとしたので、コアボルトを介して支持リングとコアボルトと固定子鉄心の三者を密着固定でき、コアボルトと固定子鉄心間の隙間を無くすことができる。従って回転電機運転時の鉄心の振動、騒音の発生を防止できる。また、製作後の再組立や分解が可能となる。
【００５２】
この発明の回転電機の固定子鉄心装置の第６の構成によれば、鋼板を積層してなる固定子鉄心、この固定子鉄心の外周部軸方向に複数並列に設けられた溝に沿わせ一端部側が嵌め込まれ、他端部側に穴を有するコアボルト、上記固定子鉄心の外周に配置され、上記穴に対向する貫通孔を有する支持リング、及び上記穴と貫通孔を連通して上記コアボルトと上記支持リングを螺着するとともに、上記コアボルトを介して上記固定子鉄心を締め付けるボルトを備えたものとしたので、コアボルトを介して固定子鉄心を支持リングで締め付け、三者を密着固定することができ、コアボルトと固定子鉄心間の密着が保持される。従って回転電機運転時の鉄心の振動、騒音の発生を防止できる。また、製作後の再組立や分解が可能となる。
【００５３】
この発明の回転電機の固定子鉄心装置の第７の構成によれば、第１ないし第６の構成のいずれかにおいて、上記固定子鉄心を締め付ける複数の上記支持リング間で、上記コアボルトを介して上記固定子鉄心を締め付ける補助リングを設け、上記コアボルトと上記固定子鉄心との密着を増加させたので、コアボルトと固定子鉄心との密着をより確実なものとすることができる。
【図面の簡単な説明】
【図１】  この発明の実施の形態１の回転電機の固定子鉄心装置の全体構造を示す斜視図である。
【図２】  図１の支持リングを示す斜視図である。
【図３】  図１の固定子鉄心支持部の要部断面の説明図である。
【図４】  この発明の実施の形態２の回転電機の固定子鉄心装置の全体構造を示す斜視図である。
【図５】  この発明の実施の形態３の固定子鉄心支持部の要部横断面の説明図である。
【図６】  この発明の実施の形態４の固定子鉄心支持部の要部横断面の説明図である。
【図７】  この発明の実施の形態５の固定子鉄心支持部の要部横断面の説明図である。
【図８】  この発明の実施の形態６の固定子鉄心の支持部の要部断面の説明図である。
【図９】  この発明の実施の形態７の固定子鉄心支持部の要部横断面の説明図である。
【図１０】  この発明の実施の形態８の固定子鉄心支持部の要部横断面の説明図である。
【図１１】  この発明の実施の形態９の固定子鉄心支持部の要部横断面の説明図である。
【図１２】  この発明の実施の形態１０の固定子鉄心支持部の要部横断面の説明図である。
【図１３】  この発明の実施の形態１２の固定子鉄心支持部の要部横断面の説明図である。
【図１４】  この発明の実施の形態１３の固定子鉄心の支持部の要部断面の説明図である。
【図１５】  この発明の実施の形態１４の固定子鉄心支持部の要部横断面の説明図である。
【図１６】  従来の回転電機の固定子鉄心装置の支持部の要部縦断面を説明する図である。
【符号の説明】
１  固定子鉄心
１ａ，１ｂ，１ｃ，１ｄ，１ｅ、１ｆ  溝
２，２ａ，２ｂ，２ｃ，２ｄ，２ｅ，２５，２６，２７，２８  コアボルト
３，３０，３５，３６，３７，３８  支持リング
４  溶接部                        ５  ライナ
６  リーマピン                    ７  ボルト
８  リーマボルト                  ９  ジャッキボルト
１０  補助リング                  ３１  締付け座
３２  弾性板取付け座              ３３  貫通孔。
【図１】
0003810289.tif 000002
【図２】
0003810289.tif 000003
【図３】
0003810289.tif 000004
【図４】
0003810289.tif 000005
【図５】
0003810289.tif 000006
【図６】
0003810289.tif 000007
【図７】
0003810289.tif 000008
【図８】
0003810289.tif 000009
【図９】
0003810289.tif 000010
【図１０】
0003810289.tif 000011
【図１１】
0003810289.tif 000012
【図１２】
0003810289.tif 000013
【図１３】
0003810289.tif 000014
【図１４】
0003810289.tif 000015
【図１５】
0003810289.tif 000016
【図１６】
0003810289.tif 000017